(57)【要約】【課題】重量の大きなマガジンをマガジン取付部に装填する場合、装填動作を容易に行なうことができ、装填過程で発生する異音を抑制可能な画像形成装置を提供する。【解決手段】長尺の記録紙２をロール状に収納するマガジン３を着脱自在に取り付けるマガジン取付部ＭＳと、記録紙２に画像を形成する画像形成ユニット５と、マガジン取付部ＭＳに取り付けられたマガジン３から画像形成ユニット５による画像形成位置へ記録紙２を搬送する記録紙搬送手段ＴＭとを備え、マガジン取付部ＭＳに設けられ、略水平方向でのスライド移動によってマガジン３をマガジン取付部ＭＳに取り付けるときに、スライド移動方向視で左右方向でのマガジン３の位置を規制するガイド部材と、マガジン３の側面側に設けられ、ガイド部材１６にガイドされるサイドローラ２５とを備え、ガイド部材１６とサイドローラ２５の間に形成される左右方向の隙間は、装填方向の出口側よりも奥側のほうが狭くなるように設定される。【選択図】図３
2007230140.tif 000002
【特許請求の範囲】
【請求項１】
長尺の記録紙をロール状に収納する記録紙マガジンを着脱自在に取り付けるマガジン取付部と、
記録紙マガジンから引き出された記録紙に画像を形成する画像形成ユニットと、
マガジン取付部に取り付けられた記録紙マガジンから画像形成ユニットによる画像形成位置へ記録紙を搬送する記録紙搬送手段とを備えた画像形成装置において、
マガジン取付部と記録紙マガジンのいずれか一方に設けられるガイド部材であって、略水平方向でのスライド移動によって記録紙マガジンをマガジン取付部に取り付けるときに、スライド移動方向視で左右方向での記録紙マガジンの位置を規制するガイド部材と、
マガジン取付部と記録紙マガジンのいずれか他方に設けられ、前記ガイド部材にガイドされる滑動部材と、を備え、
ガイド部材と滑動部材の間に形成される前記左右方向の隙間は、装填工程の開始時よりも終了時になるほど狭くなるように設定されていることを特徴とする画像形成装置。
【請求項２】
前記ガイド部材は、マガジン取付部側に設けられるものであり、前記ガイド部材のガイド幅は、装填方向の出口側よりも奥側のほうが狭くなるように設定されていることを特徴とする請求項１に記載の画像形成装置。
【請求項３】
前記ガイド部材は、マガジン取付部側に設けられると共に、前記滑動部材は、記録紙マガジンの側面側に、装填方向に沿って複数設置されており、装填方向の出口側に行くほど滑動部材のガイド部材側への突出量が大きくなるように設定されていることを特徴とする請求項１に記載の画像形成装置。
【発明の詳細な説明】
【技術分野】
【０００１】
本発明は、長尺の記録紙をロール状に収納する記録紙マガジンを着脱自在に取り付けるマガジン取付部と、記録紙マガジンから引き出された記録紙に画像を形成する画像形成ユニットと、マガジン取付部に取り付けられた記録紙マガジンから画像形成ユニットによる画像形成位置へ記録紙を搬送する記録紙搬送手段とを備えた画像形成装置に関するものである。
【背景技術】
【０００２】
かかる画像形成装置として、例えば、下記特許文献１に開示されるようなプリンタプロセッサーが知られている。この画像形成装置は、ロール状の記録紙を記録紙マガジンから引き出していき、画像形成ユニットにて画像を焼付露光して写真プリントを作成することができる。かかる画像形成装置においては、取り扱う写真プリントのプリントサイズを変更するときや、記録紙マガジン内の記録紙がなくなった場合等には、記録紙マガジンを交換する作業を行う必要がある。
【０００３】
この記録紙マガジンの交換作業においては、画像形成装置のオペレータが、既に装填されている記録紙マガジンを持ち上げて取り外した後、更に、新たな記録紙マガジンを用いて所定の装填箇所に正確に位置決めした状態でセットする、という作業を行う。
【０００４】
【特許文献１】特開２００４−３０２２８４号公報
【発明の開示】
【発明が解決しようとする課題】
【０００５】
上記従来技術において、記録紙マガジンに収納されているロール状の記録紙の紙幅が小さいものであれば比較的軽量であるため、記録紙マガジンを持ち上げた状態で設置位置の正確な位置決めを行う作業もそれほど困難なものではない。しかし、紙幅の大きい記録紙ロールを取り扱う場合には、記録紙マガジンはかなりの重量となってしまい、上記のような作業を行うと、オペレータに対し多大な労力を強いることになってしまう。
【０００６】
このような作業負担を軽減するために、記録紙マガジンを持ち上げた状態で位置決めするのではなく、記録紙マガジンの一部をマガジン取付部に載せた状態とした後、記録紙マガジンをスライド移動させて正規の装填完了位置に移動させて装填する構成とし、そのスライド移動の過程で位置決め操作を行なうことが考えられる。また、そのような構成とする場合、重量の重い記録紙マガジンのスライド移動を容易に行えるように、記録紙マガジンの底部にキャスターを備えて、より重量の大きな記録紙マガジンにも対応できるようにすることも考えられる。
【０００７】
この場合、スライド移動方向視で左右方向での記録紙マガジンの位置規制を行なうためにガイド部材が設けられており、記録紙マガジンをマガジン取付部に装着する場合には、このガイド部材により記録紙マガジンの左右方向を案内しながら装填方向の出口側から奥側へと挿入する。また、キャスターを底部に設ける場合などは、記録紙マガジンは重量がかなり大きいことから、ガイド部材の幅寸法に対して、記録紙マガジンの被ガイド部分の寸法は多少余裕があるように設計する必要がある。すなわち、ガイド幅に多少余裕を持たせることで、記録紙マガジンをマガジン取付部に装着しようとするときの操作を行ないやすくできるからである。
【０００８】
しかしながら、上記余裕を保持したまま記録紙マガジンを装填していくと、その装填途中において、記録紙マガジンとガイド部材とが衝突したりこすれたりするときの異音が大きくなり、操作時に不快感を与えるなどの問題が生じる。
【０００９】
本発明は上記実情に鑑みてなされたものであり、その課題は、特に重量の大きな記録紙マガジンをマガジン取付部に装填しようとする場合において、装填動作を容易に行なうことができ、装填過程において発生する異音を抑制可能な画像形成装置を提供することである。
【課題を解決するための手段】
【００１０】
上記課題を解決するため本発明に係る画像形成装置は、
長尺の記録紙をロール状に収納する記録紙マガジンを着脱自在に取り付けるマガジン取付部と、
記録紙マガジンから引き出された記録紙に画像を形成する画像形成ユニットと、
マガジン取付部に取り付けられた記録紙マガジンから画像形成ユニットによる画像形成位置へ記録紙を搬送する記録紙搬送手段とを備えた画像形成装置において、
マガジン取付部と記録紙マガジンのいずれか一方に設けられるガイド部材であって、略水平方向でのスライド移動によって記録紙マガジンをマガジン取付部に取り付けるときに、スライド移動方向視で左右方向での記録紙マガジンの位置を規制するガイド部材と、
マガジン取付部と記録紙マガジンのいずれか他方に設けられ、前記ガイド部材にガイドされる滑動部材と、を備え、
ガイド部材と滑動部材の間に形成される前記左右方向の隙間は、装填工程の開始時よりも終了時になるほど狭くなるように設定されていることを特徴とするものである。
【００１１】
この構成による画像形成装置の作用・効果を説明する。この画像形成装置は、マガジン取付部に記録紙マガジンを着脱自在に取り付けることができる。マガジン取付部に記録紙マガジンを取り付けた状態で、記録紙マガジンから記録紙を引き出して、記録紙搬送手段により搬送し、画像形成ユニットの画像形成位置へと搬送することができる。また、記録紙マガジンをマガジン取付部に装填するために、マガジン取付部と記録紙マガジンのいずれか一方に、ガイド部材が設けられる。このガイド部材は、スライド移動方向視で左右方向での記録紙マガジンの位置を規制する。また、マガジン取付部と記録紙マガジンのいずれか他方に、ガイド部材にガイドされる滑動部材（例えば、回転自在のフリーローラ）が設けられている。この滑動部材により、ガイド部材に沿って装填方向に沿ってスムーズに移動させることができる。
【００１２】
また、ガイド部材と滑動部材の間に形成される前記左右方向の隙間は、装填工程の開始時と終了時とでは異なるように設定されている。また、その隙間は、開始時よりも終了時のほうが狭くなるように設定されている。従って、記録紙マガジンを装填しようとするときは、隙間が相対的に大きく設定されているため、装填操作を行ないやすくなっている。また、記録紙マガジンを装填し始めてスライド移動させていくと、隙間の大きさは装填動作が完了に近づくほど小さくなるため、ガタツキは装填動作の完了に向かうほど小さくなり、スライド移動中のガイド部材と記録紙マガジンの衝突による異音発生を抑制することができる。その結果、特に重量の大きな記録紙マガジンをマガジン取付部に装填しようとする場合において、装填動作を容易に行なうことができ、装填過程において発生する異音を抑制可能な画像形成装置を提供することができる。
【００１３】
本発明において、前記ガイド部材は、マガジン取付部側に設けられるものであり、前記ガイド部材のガイド幅は、装填方向の出口側よりも奥側のほうが狭くなるように設定されていることが好ましい。ガイド部材によるガイド幅が奥側に行くほど狭くすることで、記録紙マガジンを装填していくとガタツキの量が徐々に少なくなり、装填過程において発生する異音を抑制することができる。
【００１４】
本発明において、前記ガイド部材は、マガジン取付部側に設けられると共に、滑動部材は、記録紙マガジンの側面側に、装填方向に沿って複数設置されており、装填方向の出口側に行くほど滑動部材のガイド部材側への突出量が大きくなるように設定されていることが好ましい。
【００１５】
滑動部材を記録紙マガジンに側面側に複数配置し、これら滑動部材がガイド部材と接触しながら装填されていく。この場合、装填方向の出口側ほど滑動部材の突出量が大きくなるように設定されている。従って、記録紙マガジンの装填し始めの段階では、ガタツキ量は相対的に大きいが、装填していくに従い、ガタツキ量は小さくなる。従って、装填過程において発生する異音を抑制することができる。
【発明を実施するための最良の形態】
【００１６】
本発明に係る画像形成装置の好適な実施形態を図面を用いて説明する。
＜画像形成装置の全体構成＞
本発明に係る画像形成装置ＩＦは、図１に概略的に示すように、筐体１内に長尺の記録紙２をロール状に収納する記録紙マガジン３，４を着脱自在に取り付けるマガジン取付部ＭＳと、記録紙マガジン３，４から引き出された記録紙に画像を焼付露光する画像形成ユニット５と、マガジン取付部ＭＳに取り付けられた記録紙マガジン３，４から画像形成ユニット５による画像形成位置へ記録紙を搬送する記録紙搬送手段ＴＭと、画像形成位置ＥＰの記録紙搬送方向の下流側において、記録紙のループを形成して画像が焼付露光された記録紙２を一時的に貯留するループ形成部６とが設けられている。
【００１７】
本実施形態において、画像形成ユニット５は、写真プリント作成対象の画像データにより光変調されたレーザービームを記録紙２の搬送方向（副走査方向）と直交する方向（主走査方向）に走査して、画像を形成するレーザービーム露光方式で構成されている。
【００１８】
これに対応して、記録紙２として印画紙を使用しており、また、画像形成装置ＩＦの後段側には、画像形成ユニット５により記録紙２の乳剤面上に潜像として形成された画像を現像処理する現像処理部（不図示）が連結されている。記録紙搬送手段ＴＭは、多数の搬送ローラ１１、並びに、図示を省略するガイド部材及び搬送ローラ１１を回転駆動するモータ等を備えて構成される。
【００１９】
本実施形態において、記録紙マガジン３，４として、比較的紙幅の小さな記録紙２を収納する小型の記録紙マガジン４と、紙幅の大きい記録紙２を収納する大型の記録紙マガジン３とを筐体１内に同時に収納して使用することができ、記録紙搬送手段ＴＭは、記録紙マガジン３あるいは記録紙マガジン４のいずれか一方から選択的に記録紙２を引き出し搬送する。
【００２０】
記録紙搬送手段ＴＭの搬送経路の途中箇所には、記録紙２を設定されたプリントサイズに切断するためのカッター１２が設けられている。カッター１２による記録紙の切断長さは、小型の記録紙マガジン４で取り扱う記録紙２ではそれほど長いものではないが、大型の記録紙マガジン３で取り扱う記録紙２については、紙幅が幅広であるのに対応して記録紙搬送方向での切断長さも長くなる。
【００２１】
ループ形成部６は、記録紙マガジン３から供給される切断長さの長い記録紙２のために設けられている。すなわち、記録紙搬送方向での記録紙２の長さが長いと、画像形成位置ＥＰから後段の現像処理部へそのまま搬送すると、記録紙２の先端が現像処理部内に挿入されたにもかかわらず、後端側では、まだ画像形成位置ＥＰで画像が露光形成されているという事態が生じうる。
【００２２】
このような状態が発生すると、振動などに起因して、画像形成位置ＥＰでの露光処理に悪影響を及ぼす可能性があるため、画像形成位置ＥＰにおいて画像が露光形成されている間は、記録紙２を現像処理部へ送り込まないように、ループ形成部６において、記録紙２のループを形成して貯留し、画像の焼付露光が完了すると、ループ形成部６の後段側で記録紙２を搬送する排出搬送系ＯＴを用いて、記録紙２を現像処理部へ送り込む。
【００２３】
小型の記録紙マガジン４から供給される記録紙２の場合は、切断長さが相対的に短いため、ループ形成部６における一時的な貯留の必要はなく、画像形成位置ＥＰから排出搬送系ＯＴを介して現像処理部へ送り込むことができる。
【００２４】
＜記録紙マガジンの装填態様＞
次に、記録紙マガジン３，４を画像形成装置ＩＦの筐体１内へ装填するための構成について説明する。小型の記録紙マガジン４は、相対的に軽量であるため、オペレータが記録紙マガジン４を手で持ち上げて位置決めを行い、所定の位置に装填させることができる。装填作業の具体的な態様としては、例えば、記録紙マガジン４を載置するスライド台を筐体１から引き出して、その上に記録紙マガジン４を載せるようにしてもよいし、記録紙マガジン４の一端をマガジン取付部ＭＳに載せてから記録紙マガジン４を筐体１の奥側へ押し込みつつ位置決めするような構成でもよい。
【００２５】
大型の記録紙マガジン３は、図６（ａ）の側面図及び図６（ｂ）の正面図に示すように、記録紙マガジン３の筐体１の側面側が、図６（ｂ）において、矢印Ａで示す方向に揺動開閉自在の扉２３となっており、扉２３を開き操作した状態でロール状の記録紙２を出し入れすることができる。
【００２６】
図６（ａ）に示すように、扉２３と反対側の側面には、記録紙２を引き出すためのスリット上の開口２４が形成されている。詳細な説明は省略するが、開口２４には遮光のためのシャッタが備えられている。
【００２７】
記録紙マガジン３は、記録紙マガジン４に比べて重量が大きいため、図６（ａ）及び図６（ｂ）に示すように、底部側にキャスター２１が備えられ、オペレータが取っ手２２を把持して記録紙マガジン３を容易に押し移動操作ができるように構成されている。この記録紙マガジン３をマガジン取付部ＭＳに装填するときは、図７に示すように、キャスター２１及び取っ手２２を含めた記録紙マガジン３の全体を画像形成装置ＩＦの筐体１内へ収納するように構成されている。オペレータが、記録紙マガジン３を押し移動操作して、筐体１内に乗り込ませるために、図７の側面図に示すように、画像形成装置ＩＦに乗降用スロープ７が取り付けられている。
【００２８】
乗降用スロープ７は、マガジン取付部ＭＳの扉体をも兼用しており、基端部が水平軸芯周りに揺動自在に筐体1に組み付けられている。乗降用スロープ７の遊端側を上方側に揺動操作して閉じると、乗降用スロープ７の底面が筐体１の周囲箇所と略面一となるように構成されている。
【００２９】
記録紙マガジン３の挿入方向視での乗降用スロープ７の左右方向両側は、その左右方向で記録紙マガジン３の位置を規制するガイド板７ａが形成されている。なお、ガイド板７ａの案内幅は、遊端側端部が末広がり状に幅広となるように構成されており、記録紙マガジン３の乗降用スローブ７への乗り込みを行ないやすくしている。
【００３０】
記録紙マガジン３側には、このガイド板７ａに円滑に案内されるように、サイドローラ２５（滑動部材に相当）が、前記左右方向両側夫々で４箇所に取り付けられている。サイドローラ２５は、縦軸芯周りに回動自在に、フレーム２６から左右の外方側へ若干量突出する姿勢で取り付けられている。各サイドローラ２５の外方側への突出量は同じとなるように設定されている。
【００３１】
記録紙マガジン３は、マガジン取付部ＭＳに完全に乗り込んだ後は、マガジン取付部ＭＳの底板８上を略水平方向でスライド移動することになる。マガジン取付部ＭＳを平面視で図示する図３に示すように、マガジン取付部ＭＳ内の底板８には、マガジン取付部ＭＳ内において前記スライド移動する記録紙マガジン３をスライド移動方向視（奥行き方向視）での左右方向で位置規制するガイド部材（便宜上、「第１ガイド部材１６」と称する）が左右一対に取り付けられている。なお、以下において、単に「左右方向」というときは、このスライド移動方向視（奥行き方向視）での左右方向を意味するものとする。
【００３２】
この第１ガイド部材１６の幅寸法は、出口側と奥側とで異なっており、図３の平面図に示すように、出口側の案内幅Ｌ１は奥側の案内幅Ｌ２よりも広くなっており、奥側に行くほど徐々に案内幅が狭くなるように形成されている。なお、図３では、分かりやすく図示するために、寸法関係は誇張して描いている。出口側における案内幅Ｌ１は、乗降用スロープ７のガイド板７ａにおける基端測の案内幅と略一致させてある。サイドローラ２５の第１ガイド部材１６方向への突出量は、前述のように同じであるから、奥側に行くほど、サイドローラ２５と第１ガイド部材１６の間に形成される左右方向の隙間は狭くなるように設定される。図３には、記録紙マガジン３の装填完了時におけるサイドローラ２５の位置を想像線で示している。
【００３３】
＜詑録紙マガジン３の位置決め構成＞
オペレータに押し操作されて、ガイド板７ａ及び第１ガイド部材１６に案内されながら、乗降用スロープ７を介してマガジン取付部ＭＳへ進入した記録紙マガジン３は、奥行き方向ではマガジン取付部ＭＳの奥側に設置された受止めピン１３にて位置決めされ（図３及び図７参照）、奥行き方向視での左右方向では、奥側と手前側との２箇所に設置されたマガジン支持台１４，１５にて位置決めされる（図３及び図７参照）。受止めピン１３は、記録紙マガジン３の奥行き方向先端側に備えられた嵌合孔２７に嵌合する高さに設置されている。
【００３４】
２箇所に設置されたマガジン支持台１４，１５は、側面視で図示する図４に示すように、基本的な構成は共通であり、記録紙マガジン３を支持する支持高さのみが異なる。
【００３５】
奥側のマガジン支持台１４は、平面視の拡大図である図２に示すように、金属の板材の曲げ加工によって作製された基枠３１と、基枠３１の縦壁部３１ａの上端付近に左右一対に取り付けられた支持ローラ３３と、基枠３１の上端に位置する天板部３１ｂに取り付けられて記録紙マガジン３を前記左右方向で位置決めするための位置決めガイド３４とを主要部として構成されている。一対の支持ローラ３３は、シャフト３３ａにて連結されて回動自在に支持されている。
【００３６】
手前側のマガジン支持台１５は、基枠３２の縦壁部３２ａの高さのみが異なり、基枠３２の上端に位置する天板部３２ｂ等の他の構成要素の形状及び寸法は全でマガジン支持台１４と共通である。
【００３７】
ちなみに、図５では、この手前側のマガジン支持台１５を、奥行き方向視で図示しており、マガジン支持台１４側と共通する同一形状の部品である支持ローラ３３や位置決めガイド３４は同一符号で示している。なお、図５では、図面を見易くするために、手前側のフレーム部材を除いて図示している。
【００３８】
このマガジン支持台１４，１５に対応して、記録紙マガジン３側には、底面の奥側と手前側とに位置決め用ブロック２８，２９が取り付けられている（図４及び図５参照）。位置決め用ブロック２８，２９は、前記左右方向での幅が一対の支持ローラ３３の幅と略同一であり、前記左右方向の中央に円柱状の位置決め部材２８ａ，２９ａが取り付けられている。この位置決め部材２８ａ，２９ａは、マガジン取付部ＭＳを取り付けたときの記録紙マガジン３の位置決めを行うための部材である。
【００３９】
奥側の位置決め用ブロック２８と手前側の位置決め用ブロック２９とは、高さ寸法のみが異なり、それによって、夫々の底面の底板８からの高さ、すなわち、位置決め部材２８ａ，２９ａの取り付け高さが異なるように構成されている。
【００４０】
奥側の位置決め用ブロック２８の位置決め部材２８ａ取り付け高さは、奥側のマガジン支持台１４の位置決めガイド３４の取り付け高さに対応して高い位置にあり、手前側の位置決め用ブロック２９の位置決め部材２９ａの取り付け高さに対応して低い位置にある。これによって、図４からも明らかなように、記録紙マガジン３の奥行き方向への移動の過程で、奥側の位置決め部材２８ａは手前側のマガジン支持台１５とは接当せず、それの上方を通過することになる。
【００４１】
図２に示すように、位置決めガイド３４には、奥行き方向に延びる切り込みが形成されており、その切り込みの奥側部分（平面視でＵ字状の部分）が位置決め部材２８ａ（マガジン支持台１５の位置決めガイド３４については位置決め部材２９ａ）と嵌含する嵌合部ＪＰとなっており、嵌合部ＪＰの手前側部分（平面視で略Ｖ字形状の部分）が位置決め部材２８ａ（マガジン支持台１５では位置決め部材２９ａ）を案内するガイド部材（便宜上「第２ガイド部材ＧＰ」と称する）となっている。
【００４２】
第２ガイド部材ＧＰは、平面視で略Ｖ字形状の支持面で位置決め部材２８ａ，２９ａを案内することで、位置決め部材２８ａ，２９ａを前記左右方向の両側から挟む姿勢で支承して案内する関係となり、的確に嵌合部ＪＰへ案内する。
【００４３】
第２ガイド部材ＧＰの、位置決め部材２８ａ，２９ａを受け入れる受入れ端部（手前側の端部）の前記左右方向での受入れ幅「ＷＲ」（図２及び図５参照）は、位置決め部材２８ａ，２９ａの前記左右方向での幅を「ＷＰ」、奥行き方向視で右側のサイドローラ２５と第１ガイド部材１６との間隔を「ＸＲ」（図５参照）、奥行き方向視で左側のサイドローラ２５と第１ガイド部材１６との間隔を「ＸＬ」（図５参照）とすると、ＷＲ≧ＷＰ＋ＸＲ＋ＸＬとなるように構成してある。なお、第１ガイド部材１６の案内幅は出口側と奥側とで異なっており、上記「ＸＲ」に関しては奥側における寸法を示すものである。
【００４４】
換言すると、前記受入れ幅「ＷＲ」は、記録紙マガジン３が第１ガイド部材１６に案内されている状態における位置決め部材２８ａ，２９ａの前記嵌合部ＪＰに対する前記左右方向での相対的な存在位置の変動範囲の最大幅以上となるように構成されている。なお、図５では、上記「ＸＲ」及び「ＸＬ」は、図面を見易くするために、実際の幅よりも若干大きめに図示している。
【００４５】
これによって、第１ガイド部材１６と記録紙マガジン３との間で、ある程度の隙間を確保して容易に記録紙マガジン３を押し込めるようにできながらも、位置決め部材２８ａ，２９ａは、第２ガイド部材ＧＰとの接当によって確実に嵌合部ＪＰへと案内され、前記左右方向での位置決めが的確に行える。
【００４６】
また、第１ガイド部材１６と記録紙マガジン３との間に隙間が形成され、かつ、記録紙マガジン３の底部にキャスター２１が設けられているため、記録紙マガジン３を装填する過程において、左右方向に振れながらスライド移動することになる。この場合、上記隙間（ガタツキ量）が大きいと、記録紙マガジン３のサイドローラ２５が第１ガイド部材１６と衝突することで異音を発生する。この異音は、隙間が大きいほど大きくなる傾向にある。そこで、本発明においては、奥側に行くほど隙間が小さくなるように設定されている。従って、記録紙マガジン３を装填し始めるときは、出口側の案内幅Ｌ１が相対的に大きくなっており、装填動作を行ないやすくしている。そして、装填方向に記録紙マガジン３をスライド移動させていくと、隙間量も徐々に小さくなっていき、記録紙マガジン３が第１ガイド部材１６と接触する際の衝撃を緩和することができる。これにより、異音の発生を抑制することができる。
【００４７】
位置決め部材２８ａ，２９ａが第２ガイド部材ＧＰの受入れ端部から嵌合部ＪＰへと案内される過程で、位置決め用ブロック２８，２９の底面２８ｂ，２９ｂは、支持ローラ３３上に達するが、位置決め用ブロック２８の底面２８ｂの高さは、奥側に位置するマガジン支持台１４の支持ローラ３３の上端の高さよりもわずかに低く、又、位置決め用ブロック２９の底面２９ｂの高さは、手前側に位置するマガジン支持台１５の支持ローラ３３の上端の高さよりもわずかに低いので、位置決め用ブロック２８，２９の底面２８ｂ，２９ｂは、支持ローラ３３上に乗り上げることになる（図５参照）。
【００４８】
記録紙マガジン３側の位置決め部材２８ａ，２９ａ及びマガジン取付部ＭＳ側のマガジン支持台１４，１５、並びに、記録紙マガジン３側の嵌合孔２７及びマガジン取付部ＭＳ側の受止めピン１３の作用によって、記録紙マガジン３がマガジン取付部ＭＳ内において位置決めされるに伴って、図示を省略するロック機構によって記録紙マガジン３の存在位置が固定される。
【００４９】
この後、オペレータが乗降用スロープ７を閉じると、記録紙マガジン３の開口２４から記録紙２が引き出され、画像形成ユニット５にて画像が形成された後、ループ形成部６等を経て現像処理部へ送り込まれる。
【００５０】
＜別実施形態＞
本実施形態では、第１ガイド部材１６の案内幅を奥側に行くほど狭くするように設定しているが、これに代えて図８に示すように、第１ガイド部材１６の案内幅は、場所に関係なく均一とし、サイドローラ２５の突出量を変えるようにしてもよい。図８に示すように、サイドローラ２５の先端と第１ガイド部材１６の間に形成される隙間ＸＲは、出口側に行くほど狭くなる（サイドローラ２５の突出量は出口側に行くほど大きくなる）ように設定されている。具体的には、隙間の大きさは次のように設定される。
２５ｄ＞２５ｃ＝２５ｂ＞２５ａ
となるように設定される。あるいは、
２５ｄ＞２５ｃ＞２５ｂ＞２５ａ
となるように設定してもよい。各サイドローラ２５を同じ部品とする場合は、その取り付け位置を変えることで突出量が変わるようにすることができる。また、各サイドローラ２５の外径寸法を少しずつ変えることで突出量を変えるようにしてもよい。
【００５１】
以下、本発明の更に別の実施形態を列記する。
（１）本実施形態では、位置決め部材２８ａ，２９ａを記録紙マガジン３側に備え、嵌合部ＪＰ及び第２ガイド部材ＧＰを構成する位置決めガイド３４をマガジン取付部ＭＳ側に備える場合を例示しているが、それとは逆に、位置決め部材２８ａ，２９ａをマガジン取付部ＭＳ側に備え、嵌合'部ＪＰ及び第２ガイド部材ＧＰを構成する位置決めガイド３４を記録紙マガジン３側に備える構成としても良い。
（２）本実施形態では、記録紙マガジン３のマガジン取付部ＭＳへの装填動作を補助するためのサイドローラ２５を記録紙マガジン３側に設ける場合を例示しているが、ガイド板７ａの端部、第１ガイド部材１６の端部、あるいは、記録紙マガジン３を装填する際に記録紙マガジン３の側面が近接するマガジン取付部ＭＳの筐体内壁に設けて記録紙マガジン３を導くように構成しても良い。
（３）また、第１ガイド部材を記録紙マガジン３側に設け、サイドローラをマガジン取付部ＭＳ側に設けてもよい。サイドローラの突出量を同じとする場合は、第１ガイド部材は、装填方向の奥側に行くほど幅が小さくなる（ガイドを行う部分の記録紙マガジン３の左右方向の幅寸法が小さくなる）ように設定する。第１ガイド部材の幅を一定とする場合は、装填方向の奥に行くほど突出量が大きくなるように設定する。
（４）本実施形態では、画像形成ユニット５をレーザービーム露光方式で構成する場合を例示しているが、画像形成方式は露光によるものに限らず、例えば、インクジェット方式等の形式のものでも良い。
（５）本実施形態では、サイドローラ２５の数を左右とも４つずつ配置しているが、配置個数については適宜変更することが可能である。また、サイドローラ２５を設ける高さ位置についても適宜変更可能である。
【図面の簡単な説明】
【００５２】
【図１】本発明の実施の形態にかかる画像形成装置の概略構成図
【図２】本発明の実施の形態にかかる平面視によるマガジン支持台の拡大図
【図３】本発明の案施の形態にかかるマガジン取付部の平面図
【図４】本発明の実施の形態にかかる位置決め構造を示す側面図
【図５】本発明の実施の形態にかかる奥行き方向視による位置決め構造を示す図
【図６】本発明の実施の形態にかかる記録紙マガジンの側面図及び正面図
【図７】本発明の実施の形態にかかる記録紙マガジンの装填動作を示す図
【図８】本発明の別の実施の形態にかかるマガジン取付部及び記録紙マガジンの平面図
【符号の説明】
【００５３】
２        記録紙
３        記録紙マガジン
５        画像形成ユニット
１６      第１ガイド部材
２１      キャスター
２５      サイドローラ
２５ａ，２５ｂ，２５ｃ，２５ｄ      サイドローラ
２８ａ，２９ａ      位置決め部材
ＧＰ      第２ガイド部材
ＪＰ      嵌合部
ＭＳ      マガジン取付部
ＴＭ      記録紙搬送手段
【図１】
2007230140.tif 000003
【図２】
2007230140.tif 000004
【図３】
2007230140.tif 000005
【図４】
2007230140.tif 000006
【図５】
2007230140.tif 000007
【図６】
2007230140.tif 000008
【図７】
2007230140.tif 000009
【図８】
2007230140.tif 000010